(57)【要約】【課題】  居住者間でメッセージのやりとりが可能であって、録音したメッセージの宛先をメッセージ再生前に判別できるインターホン装置を提供する。【解決手段】  居室親機２のメッセージメモリ２７は居住者毎に割り当てた複数のメッセージ録音エリアを有し、増設親機３は複数のメッセージ録音エリアのうちの１つが専用に割り当てられている。親機ＣＰＵ３１は、増設親機３に割り当てられているメッセージ録音エリアにメッセージが録音されたら、メッセージ対象の増設親機３にメッセージ通知信号を送出し、この信号を受信した増設親機３の増設ＣＰＵ４５は、タッチパネル４７に「メッセージ有り」を表示する。この増設親機３で再生操作されたら、増設ＣＰＵ４５は、居室親機２に対してメッセージ再生を要求し、親機ＣＰＵ３１はメッセージを増設親機３に送出して再生した時刻を記憶すると共にメッセージ未再生表示を消す。【選択図】  図１
2007266977.tif 000002
【特許請求の範囲】
【請求項１】
居住者を呼び出すための玄関子機と、前記玄関子機からの呼び出しに応答するための居室親機とを有するインターホン装置において、
前記居室親機は、メッセージ入力手段、複数のメッセージ録音エリアから成るメッセージ録音手段、メッセージ再生手段を備えて、居住者間連絡のためのメッセージの録音及び再生が可能であり、
前記居室親機は、更に前記複数のメッセージ録音エリアの一つを選択する録音エリア選択手段と、選択したメッセージ録音エリアへのメッセージの録音及び再生を制御する親機録音／再生制御手段と、メッセージ録音エリアにメッセージが録音された場合にそれを報知するメッセージ有り報知手段とを有し、前記メッセージ録音エリア別に録音及び再生を可能とすることを特徴とするインターホン装置。
【請求項２】
前記居室親機に、前記玄関子機からの呼び出しに応答するための増設親機が接続されている場合は、前記メッセージ録音手段は前記増設親機に割り当てたメッセージ録音エリアを有し、
前記居室親機は、前記割り当てられたメッセージ録音エリアにメッセージが録音されたら、メッセージ対象親機にメッセージがある旨を知らせるメッセージ通知信号を前記増設親機に送出する通知信号生成手段を備える一方、前記増設親機は、メッセージがあることを知らせるメッセージ有り報知手段と、前記録音されたメッセージを再生するために前記居室親機に対してメッセージ再生信号を送信してメッセージを取り出すメッセージ再生制御手段と、取り出したメッセージを再生するメッセージ再生手段とを備えたことを特徴とする請求項１記載のインターホン装置。
【請求項３】
前記居室親機の前記親機録音／再生制御手段は、前記増設親機に割り当てられたメッセージ録音エリアのメッセージを居室親機の前記メッセージ再生手段の操作を受けて再生制御することを特徴とする請求項２記載のインターホン装置。
【請求項４】
メッセージ再生操作が成されると、前記居室親機及び増設親機の双方のメッセージ有り報知手段の報知動作が終了する制御を行う報知制御手段を備えたことを特徴とする請求項２又は３記載のインターホン装置。
【請求項５】
前記居室親機は、メッセージ再生操作をした親機ＩＤ及び再生時刻を記録するメッセージ再生情報記録部と、前記メッセージ再生情報記録部への記録を制御する記録制御手段とを有することを特徴とする請求項２乃至４の何れかに記載のインターホン装置。
【請求項６】
居住者を呼び出すための玄関子機と、前記玄関子機からの呼び出しに応答するための居室親機及び少なくとも１台の増設親機とを有するインターホン装置において、
前記居室親機はメッセージ入力手段を有すると共に、前記居室親機及び増設親機は、居住者間連絡のためのメッセージ録音手段、メッセージ有り報知手段、メッセージ再生手段を夫々備えて居住者間連絡のためのメッセージの録音及び再生が可能であり、
前記居室親機は、更にメッセージ宛先親機を選択する親機選択手段と、入力されたメッセージを選択された前記増設親機へ送信する制御を行うメッセージ作成制御手段とを備える一方、前記増設親機は、前記居室親機から送信されたメッセージを自身のメッセージ録音手段に録音すると共に自身の前記メッセージ有り報知手段を報知動作させ、更にメッセージ再生制御を行う増設録音／再生制御手段を備えたことを特徴とするインターホン装置。
【請求項７】
前記居室親機のメッセージ再生手段の操作により、任意の居室親機及び増設親機に記憶されているメッセージを居室親機で再生制御可能であることを特徴とする請求項６記載のインターホン装置。
【請求項８】
メッセージ再生操作が成されると、前記居室親機及び増設親機の双方のメッセージ有り報知手段の報知動作が終了する制御を行う報知制御手段を備えたことを特徴とする請求項６又は７記載のインターホン装置。
【請求項９】
前記増設親機の増設録音／再生制御手段は、メッセージ再生操作が成されたら前記居室親機に対して自身のＩＤ情報を含むメッセージ再生信号を送信し、
前記居室親機は、メッセージ再生操作をした親機ＩＤ及び再生時刻を記録するメッセージ再生情報記録部、及び前記メッセージ再生情報記録部への記録を制御する記録制御手段を有することを特徴とする請求項６乃至８の何れかに記載のインターホン装置。
【請求項１０】
前記親機録音／再生制御手段或いはメッセージ作成制御手段は、前記メッセージ録音手段に録音されているメッセージが未再生であっても上書き録音が可能であることを特徴とする請求項１乃至９の何れかに記載のインターホン装置。
【請求項１１】
前記居室親機はメッセージが正しく入力されたか確認するためのメッセージ確認手段を有し、前記親機録音／再生制御手段或いは前記メッセージ作成制御手段は、前記メッセージ有り報知手段が報知動作している状態で前記メッセージ確認手段が操作されても、メッセージ有り報知手段の報知動作を維持させることを特徴とする請求項１乃至１０の何れかに記載のインターホン装置。
【請求項１２】
前記居室親機は、液晶表示画面及び当該画面上に設置されたタッチパネルを備え、前記録音エリア選択手段が、前記液晶表示画面にメッセージ録音エリア別に出画表示されたアイコンであり、前記タッチパネル操作により前記アイコンを選択操作可能であることを特徴とする請求項１乃至１１の何れかに記載のインターホン装置。
【請求項１３】
前記居室親機は前記アイコンの形状を多数記憶し、個々の居住者に割り当てるアイコンは選択可能であることを特徴とする請求項１２記載のインターホン装置。
【発明の詳細な説明】
【技術分野】
【０００１】
本発明はインターホン装置に関し、特にメッセージの録音および再生が可能なインターホン装置に関する。
【背景技術】
【０００２】
従来より、メッセージを録音して必要に応じて再生できるインターホン装置がある。このようなインターホン装置は、メッセージは来訪者に対して録音され、来訪者が玄関子機から呼出操作をした際に録音されたメッセージが再生され、来訪者にメッセージを伝えるよう構成されている（例えば、特許文献１参照）。
【特許文献１】特開２００２−６４６１９号公報
【発明の開示】
【発明が解決しようとする課題】
【０００３】
このように、メッセージが録音可能であっても、再生は玄関子機で行われるため、居住者間でのメッセージのやりとりに使用するには不便であった。また、仮に録音したメッセージを居室親機で再生できたとしても、メッセージの宛先を指定する機能がないため、利用者はメッセージ再生前に聴く必要があるか判断することができないし、利用者には不必要なメッセージも含めて聞かなければならなかった。
そこで、本発明はこのような問題点に鑑み、居住者間でメッセージのやりとりが可能であって、録音したメッセージの宛先をメッセージ再生前に判別できるインターホン装置を提供することを目的とする。
【課題を解決するための手段】
【０００４】
上記課題を解決する為に、請求項１の発明は、居住者を呼び出すための玄関子機と、玄関子機からの呼び出しに応答するための居室親機とを有するインターホン装置において、居室親機は、メッセージ入力手段、複数のメッセージ録音エリアから成るメッセージ録音手段、メッセージ再生手段を備えて、居住者間連絡のためのメッセージの録音及び再生が可能であり、居室親機は、更に複数のメッセージ録音エリアの一つを選択する録音エリア選択手段と、選択したメッセージ録音エリアへのメッセージの録音及び再生を制御する親機録音／再生制御手段と、メッセージ録音エリアにメッセージが録音された場合にそれを報知するメッセージ有り報知手段とを有し、メッセージ録音エリア別に録音及び再生を可能とすることを特徴とする。
この構成によれば、メッセージ録音エリアを複数に分割してエリア毎の再生を可能とすることで、夫々のエリアを個々の居住者に割り当てることができ、個々の居住者は必要なメッセージだけ再生することができる。またメッセージ有り報知手段により居住者は自分に対してメッセージがあるかどうか容易に判別できる。
【０００５】
請求項２の発明は、請求項１に記載の発明において、居室親機に、玄関子機からの呼び出しに応答するための増設親機が接続されている場合は、メッセージ録音手段は増設親機に割り当てたメッセージ録音エリアを有し、居室親機は、割り当てられたメッセージ録音エリアにメッセージが録音されたら、メッセージ対象親機にメッセージがある旨を知らせるメッセージ通知信号を増設親機に送出する通知信号生成手段を備える一方、増設親機は、メッセージがあることを知らせるメッセージ有り報知手段と、録音されたメッセージを再生するために居室親機に対してメッセージ再生信号を送信してメッセージを取り出すメッセージ再生制御手段と、取り出したメッセージを再生するメッセージ再生手段とを備えたことを特徴とする。
この構成によれば、増設親機を備えて親機が複数の場合は、居室親機のメッセージ録音エリアを増設親機に割り当てることで、割り当てられた増設親機でメッセージ有りを報知してメッセージを再生できる。そのため、居住者が夫々個室を持っていて、各部屋に増設親機が設置されている場合、自分の部屋のインターホンの表示を確認することによって、メッセージがあるかどうか容易に判別できるし、自分の部屋で自分宛のメッセージだけを聞くことができ、便利である。逆に、居室親機から、夫々の増設親機に対してメッセージを録音することができるので、対象となる増設親機まで赴いて直接メッセージを録音する必要がない。
【０００６】
請求項３の発明は、請求項２に記載の発明において、居室親機の親機録音／再生制御手段は、増設親機に割り当てられたメッセージ録音エリアのメッセージを居室親機の前記メッセージ再生手段の操作を受けて再生制御することを特徴とする。
この構成によれば、メッセージ録音エリアの割当対象となっている増設親機で再生する事無く、居室親機でも再生できるので、メッセージ受信者は自分の部屋まで戻ることなくメッセージを聞くことができる。
【０００７】
請求項４の発明は、請求項２又は３記載の発明において、メッセージ再生操作が成されると、居室親機及び増設親機の双方のメッセージ有り報知手段の報知動作が終了する制御を行う報知制御手段を備えたことを特徴とする。
この構成によれば、メッセージ再生操作した親機に拘わらず双方で再生されたことを把握でき分かりやすい。
【０００８】
請求項５の発明は、請求項２乃至４の何れかに記載の発明において、居室親機は、メッセージ再生操作をした親機ＩＤ及び再生時刻を記録するメッセージ再生情報記録部と、メッセージ再生情報記録部への記録を制御する記録制御手段とを有することを特徴とする。
この構成によれば、再生操作が成された場所及び時間を知ることができ、居住者の状況の把握に役立つ。
【０００９】
請求項６の発明は、居住者を呼び出すための玄関子機と、玄関子機からの呼び出しに応答するための居室親機及び少なくとも１台の増設親機とを有するインターホン装置において、居室親機はメッセージ入力手段を有すると共に、居室親機及び増設親機は、居住者間連絡のためのメッセージ録音手段、メッセージ有り報知手段、メッセージ再生手段を夫々備えて居住者間連絡のためのメッセージの録音及び再生が可能であり、居室親機は、更にメッセージ宛先親機を選択する親機選択手段と、入力されたメッセージを選択された増設親機へ送信する制御を行うメッセージ作成制御手段とを備える一方、増設親機は、居室親機から送信されたメッセージを自身のメッセージ録音手段に録音すると共に自身のメッセージ有り報知手段を報知動作させ、更にメッセージ再生制御を行う増設録音／再生制御手段を備えたことを特徴とする。
この構成によれば、メッセージを入力したい増設親機まで赴いてメッセージを入力する必要がないし、増設親機において自身宛のメッセージ有りを報知し、増設親機の操作で再生できるので、個々の居住者は自分の部屋に居ながらメッセージがあることを認識でき、再生する事ができ、録音操作した居室親機まで赴いてメッセージを聞く必要がない。
【００１０】
請求項７の発明は、請求項６に記載の発明において、居室親機のメッセージ再生手段の操作により、任意の居室親機及び増設親機に記憶されているメッセージを居室親機で再生制御可能であることを特徴とする。
この構成によれば、増設親機に録音されたメッセージでも居室親機で再生できるので、メッセージ受信者は自分の部屋まで戻ることなくメッセージの再生ができる。
【００１１】
請求項８の発明は、請求項６又は７記載の発明において、メッセージ再生操作が成されると、居室親機及び増設親機の双方のメッセージ有り報知手段の報知動作が終了する制御を行う報知制御手段を備えたことを特徴とする。
この構成によれば、メッセージ再生操作した親機に拘わらず居室親機及び増設親機の双方で再生されたことを把握できるので分かりやすい。
【００１２】
請求項９の発明は、請求項６乃至８の何れかに記載の発明において、増設親機の増設録音／再生制御手段は、メッセージ再生操作が成されたら居室親機に対して自身のＩＤ情報を含むメッセージ再生信号を送信し、居室親機は、メッセージ再生操作をした親機ＩＤ及び再生時刻を記録するメッセージ再生情報記録部、及びメッセージ再生情報記録部への記録を制御する記録制御手段を有することを特徴とする。
この構成によれば、再生操作が成された場所及び時間を知ることができ、居住者の状況の把握に役立つ。
【００１３】
請求項１０の発明は、請求項１乃至９の何れかに記載の発明において、親機録音／再生制御手段或いはメッセージ作成制御手段は、メッセージ録音手段に録音されているメッセージが未再生であっても上書き録音が可能であることを特徴とする。
この構成によれば、メッセージを訂正したいときなど、消去操作が必要ないので、メッセージ入力を簡易にできる。
【００１４】
請求項１１の発明は、請求項１乃至１０の何れかに記載の発明において、居室親機はメッセージが正しく入力されたか確認するためのメッセージ確認手段を有し、親機録音／再生制御手段或いはメッセージ作成制御手段は、メッセージ有り報知手段が報知動作している状態でメッセージ確認手段が操作されても、メッセージ有り報知手段の報知動作を維持させることを特徴とする。
この構成によれば、メッセージが正しく入力されたか容易に確認でき、入力した居住者は安心できる。
【００１５】
請求項１２の発明は、請求項１乃至１１の何れかに記載の発明において、居室親機は、液晶表示画面及び当該画面上に設置されたタッチパネルを備え、録音エリア選択手段が、液晶表示画面にメッセージ録音エリア別に出画表示されたアイコンであり、タッチパネル操作によりアイコンを選択操作可能であることを特徴とする。
この構成によれば、アイコンをタッチ操作することで、メッセージ録音エリアを選択できるので、メッセージの記憶操作及び再生操作がし易い。
【００１６】
請求項１３の発明は、請求項１２に記載の発明において、居室親機はアイコンの形状を多数記憶し、個々の居住者に割り当てるアイコンは選択可能であることを特徴とする。
この構成によれば、アイコンにより誰用のメッセージエリアか分かりやすくでき、メッセージの記憶／再生をし易い。
【発明の効果】
【００１７】
本発明によれば、個々の居住者は自分宛のメッセージだけ再生することができる。またメッセージ有り報知手段により居住者は自分に対してメッセージがあるかどうか容易に判別できる。
また親機が複数の場合は、親機毎にメッセージ有りを報知するので、個々の居住者は自分の部屋に居ながらメッセージがあるかどうか容易に判別でき、メッセージを聞くことができるし、居室親機から夫々の親機に対してメッセージを送信して録音することができるので、対応する居住者の親機まで赴いて直接メッセージを録音する必要がない。
【発明を実施するための最良の形態】
【００１８】
以下、本発明を具体化した実施の形態を、図面に基づいて詳細に説明する。図１，図２は本発明に係るインターホン装置の第１実施形態を示し、図１は構成図、図２は回路ブロック図を示している。
図１において、１は玄関子機、２は居室親機、３は増設親機であり、増設親機を２台（第１増設親機３ａ、第２増設親機３ｂ）備えている。そして、玄関子機１は、来訪者を撮像する為のカメラ１０、カメラ１０の撮像信号を変調する変調回路１１、居住者を呼び出すための呼出ボタン１２、通話するためのマイク１３及びスピーカ１４、このマイク１３及びスピーカ１４を制御する子機通話回路１５、居室親機２に接続するための子機ＩＦ（インターフェイス）１６、玄関子機１を制御する子機ＣＰＵ１７、子機電源回路１８を備えている。
【００１９】
また、居室親機２は、玄関子機１や増設親機３を接続するための親機ＩＦ（インターフェイス）２１、玄関子機１から送信されてきたカメラ１０の映像信号を復調する復調回路２２、撮像映像を出画するモニタ２３、玄関子機１と通話するための通話ボタン２４、メッセージ録音ボタン２５、メッセージ再生ボタン２６、メッセージ録音手段としてのメッセージメモリ２７、玄関子機１等と通話するためのマイク２８及びスピーカ２９、このマイク２８及びスピーカ２９を制御する親機通話回路３０、居室親機２を制御する親機ＣＰＵ３１、親機電源回路３２を備えている。メッセージメモリ２７は、メッセージ録音エリアが分割されて成り、居住者数に応じた複数のメッセージ録音エリアを有している。
尚、メッセージ録音ボタン２５及びメッセージ再生ボタン２６は、タッチパネル３４から成る操作部内に設けられ、タッチパネル３４はモニタ２３前面に組み付けられている。
【００２０】
更に、増設親機３（第１増設親機３ａ）は、居室親機２や増設親機３を接続するための増設ＩＦ（インターフェイス）３７、玄関子機１から送信されてきたカメラ１０の映像信号を復調する増設復調回路３８、撮像映像を出画する増設モニタ３９、玄関子機１と通話するための増設通話ボタン４０、増設メッセージ再生ボタン４１、玄関子機１等と通話するためのマイク４２及びスピーカ４３、このマイク４２及びスピーカ４３を制御する増設通話回路４４、増設親機３を制御する増設ＣＰＵ４５、増設電源回路４６を備えている。
尚、増設メッセージ再生ボタン４１は、モニタ３９前面に組み付けられたタッチパネル４７から成る操作部内に設けられている。また、第２増設親機３ｂは第１増設親機３ａと同様の構成である。
【００２１】
このインターホン装置の動作は以下のようである。但し、玄関子機１からの呼び出し、及び居室親機２、増設親機３による応答操作は従来と同様であるし、本発明の要旨ではないので説明を省略し、メッセージの録音及びその再生操作と動作について説明する。
図３、図４はメッセージの録音／再生操作に伴うタッチパネル画面及び操作ボタンの説明表を示し、この図に基づいて説明する。これらのタッチパネル画面表示及び制御は、タッチパネル操作を受けて親機ＣＰＵ３１により実施される。
【００２２】
メッセージの録音は、先ずタッチパネル３４を操作して図３（ａ）に示すメッセージ通知先を選択するためのメニュー画面をタッチパネル画面に表示する。この表示された画面は、９個のアイコン４９を表示し、８人の居住者に対して個別に、或いは居住者全員（家族全員）に対してメッセージの通知が可能なことを示している。
この画面から操作ボタン説明図に示すように、タッチパネル３４に表示された上移動ボタンＢ１、下移動ボタンＢ２、戻りボタンＢ４等の録音エリア選択手段の操作により、目的のアイコン４９を選択する。例えば、居住者Ａを選択して録音ボタンＢ３を押すことで、居住者Ａ宛のメッセージの録音が開始される。録音ボタンＢ３の操作により、親機録音／再生制御手段としての親機ＣＰＵ３１は、メッセージ入力手段としてのマイク２８を能動として、集音した音声をメッセージメモリ２７の所定のエリアに録音する。
尚アイコン４９内のＡ〜Ｈの表示は、居住者（家族）を識別できる文字を示したもので、例えば２文字表示され名前のイニシャルが表示される。
【００２３】
録音が開始されたら、図３（ｂ）に示す画面が表示され、残り時間が案内表示エリア５０に表示される。ここでは残りは８秒であることを示している。また、停止ボタンＢ５を押すことで、録音は終了される。尚、録音可能時間は、例えば１５秒であり、この録音操作により、メッセージメモリ２７の選択されたメッセージ録音エリアにメッセージが録音される。
【００２４】
録音が終了したら、図３（ｃ）に示す画面が表示され、拡大されたアイコン５１に詳細情報が表示される。ここでは居住者Ａ〜Ｃに対するメッセージの有無等がアイコン別に表示されている。アイコン５１の内容を具体的に説明すると、左側の星印５２はメッセージ未再生を示し、右側の日時は録音／再生された日時を示している。例えば、居住者Ａのメッセージ録音エリアには７月２６日の１８時４５分に録音された未再生メッセージがあることを示しているし、居住者Ｂのメッセージ録音エリアには、７月２５日１８時４７分に録音された未再生メッセージがあることを示している。
【００２５】
そして、居住者Ｃのメッセージ録音エリアには、未再生メッセージはなく、表示されている日時、７月２５日１２時００分はメッセージを再生した時刻を示している。また菱形マークは増設親機（第２増設親機３ｂ）３で再生されたことを示している。尚、第１増設親機３ａは居住者Ａが使用し、第２増設親機３ｂは居住者Ｃが使用するものとする。
【００２６】
親機ＣＰＵ３１は記録制御手段として動作し、増設親機３でメッセージが再生された場合、受信したメッセージ再生信号の時刻をメッセージメモリ２７内に設けられているメッセージ再生情報記録部に記録すると共に、送信元の増設親機ＩＤから図３（ｃ）に示すようにアイコン５１の所定位置に再生場所を表示する。
そして、今録音された居住者Ａのアイコン５１は他と異なる色で表示され、実行ボタンＢ６を押すことで、録音した居住者Ａに対するメッセージを確認する事ができる。実行ボタンＢ６を押すと、親機ＣＰＵ３１はメッセージ確認手段として動作し、星印５２を消すことなく録音したメッセージをスピーカ２９により再生させる。また、キャンセルボタンＢ７を押すと確認工程を飛ばして、録音工程は終了となる。
【００２７】
こうして作成されたメッセージは、通知信号生成手段としての親機ＣＰＵ３１の制御により、メッセージ通知信号が生成されてメッセージ録音エリアに割り当てられている増設親機３に送信される。具体的に、メッセージ通知信号は、居室親機ＩＤ、メッセージ対象の増設親機ＩＤ（この場合、居住者Ａのアイコンは第１増設親機３ａが割り当てられているので第１増設親機ＩＤ）を含んで生成され、親機ＩＦ２１から出力される。この信号のＩＤ情報から、自身宛であることを認識した第１増設親機３ａの増設ＣＰＵ４５は、モニタ（タッチパネル画面）３９をメッセージ有り報知手段として動作させて「メッセージ有り」を表示させる。
【００２８】
次に録音されたメッセージの再生について説明する。メッセージの再生は居室親機２及び「メッセージ有り」を表示した増設親機３において実施できる。
居室親機２でメッセージを再生する手順は以下のようである。図４（ａ）のタッチパネル画面図は、メッセージの録音を終了して再生待ちの状態を示している。この状態で、タッチパネル３４に表示されている選択ボタンＢ８を操作してアイコン５１を選択し、再生ボタンＢ９を押せば選択されたアイコン５１に関連付けられているメッセージ録音エリアのメッセージが再生される。図４（ｂ）は再生ボタンＢ９が押されて、居住者Ａに対するメッセージが再生されている状態を示している。メッセージ再生は、親機ＣＰＵ３１の制御で、メッセージ再生手段としてのスピーカ２９から再生音声を出力させる。尚、停止ボタンＢ１１を押せば再生中のメッセージは停止する。
【００２９】
こうして、再生操作が成されたら、図４（ｃ）に示すように、親機ＣＰＵ３１は報知制御手段として動作して居住者Ａのアイコンの星印を消して、表示時刻を再生された時刻（７月２６日２０時１０分）に変える。更に、親機ＣＰＵ３１は、増設親機３に対して再生報知信号を出力し、この信号を受信した増設親機３は、「メッセージ有り」の表示を消す。
【００３０】
増設親機３によるメッセージ再生は以下のようである。「メッセージ有り」が表示されている状態でタッチパネル４７をタッチ操作すると、メッセージ再生ボタン（図示せず）が表示される。このメッセージ再生ボタンを押すことでメッセージが再生される。メッセージ再生ボタンを押すと、増設ＣＰＵ４５はメッセージ再生制御手段として動作し、居室親機２に対して自身のＩＤと居室親機ＩＤを含むメッセージ再生信号を送信する。この信号を受けた親機ＣＰＵ３１は、受信した信号のＩＤ情報からメッセージ再生するメッセージメモリ２７内のメッセージ録音エリアを特定して、録音されているメッセージを増設親機３に送信する。そして、メッセージ再生信号に含まれる増設親機ＩＤ、及び受信した時間をメッセージメモリ２７内のメッセージ再生情報記録部に記録する。
【００３１】
こうして、居室親機２から増設親機３にメッセージが送信され、増設親機３においてメッセージの再生が成される。メッセージ再生後は、増設ＣＰＵ４５は報知制御手段として動作して「メッセージ有り」の表示は消える。同時に、居室親機２でも図４（ｃ）に示すように、親機ＣＰＵ３１が報知制御手段として動作してメッセージ未再生の表示（星印）は消え、記憶している再生制御した時刻がアイコン５１内に表示される。
【００３２】
このように、メッセージ録音エリアを複数に分割してエリア毎の再生を可能とすることで、夫々のエリアを個々の居住者に割り当てることができ、個々の居住者は必要なメッセージだけ再生することができる。また、未再生のメッセージがある場合は居室親機のアイコン内にそれが表示されるので、居住者は自分に対してメッセージがあるかどうか容易に判別できる。
また、複数の増設親機を備えた場合は、居室親機のメッセージ録音エリアを増設親機に関連付けて、関連付けた増設親機からメッセージを再生できるので便利であるし、増設親機でもメッセージ有りを報知するので、個々の居住者は自分に割り当てられた親機においてメッセージがあるかどうか容易に判別できる。逆に、居室親機から、夫々の増設親機に対してメッセージを録音することができるので、対象となる増設親機まで赴いて直接メッセージを録音する必要がない。
【００３３】
更に、メッセージ録音エリアの割当対象となっている増設親機で再生する事無く、居室親機でも再生できるので、メッセージ受信者は自分の部屋まで戻ることなくメッセージを聞くことができる。
また、一方でメッセージ再生操作をしても居室親機及び増設親機の双方で再生されたことを把握できるので分かりやすいし、再生操作が成された場所及び時間が居室親機に表示されるので、居住者の状況の把握に役立つ。
また、メッセージ確認操作する場合は未再生メッセージ有りの表示は消えないので、メッセージが正しく入力されたか容易に確認でき、入力した居住者は安心できる。
【００３４】
尚、上記実施形態では、メッセージメモリ２７のメッセージ録音エリアを表示するアイコン４９，５１と録音／再生操作を行うアイコン（操作ボタンＢ１〜Ｂ１０）が独立しているが、メッセージ録音エリアを表示するアイコン４９，５１をタッチ操作することで、録音／再生するよう構成しても良い。この場合、アイコンをタッチ操作することで、メッセージ録音エリアを選択できるので、メッセージの記憶操作及び再生操作が更にし易くなる。
【００３５】
図５は、上記図３（ａ）に対応するメッセージ録音エリア別に表示しているアイコン４９の他の例を示している。ここでは、アイコン（１）は父親、アイコン（２）は母親、アイコン（３）は長男、アイコン（４）は次男をイメージしている。このようにアイコンを居住者別に異なる画像で構成すれば、アイコンにより誰用のメッセージエリアか分かり易くなり、幼い居住者であってもメッセージの記憶／再生がし易くなる。尚、この場合、アイコンに表示させる画像は、予め複数種類作成して居室親機２にメモリを設けて記憶させておき、使用時に選択設定すればよい。
【００３６】
図６は本発明に係るインターホン装置の第２実施形態を示す回路ブロック図を示している。上記第１実施形態とは増設親機３の構成が異なり、増設親機３にもメッセージを録音する増設メッセージメモリ５３が設けられている。尚、上記図２と同一の構成要素には同一の符号を付与してある。  
【００３７】
以下、図６の構成におけるメッセージの録音／再生操作及び動作を説明する。この操作のタッチパネル３４の表示は上記図３，図４と同様であるため、この図を用いて説明する。メッセージの録音操作は、まず居室親機２のタッチパネル３４を操作して、図３（ａ）に示すメッセージ通知先を選択するメニュー画面を表示し、上移動ボタンＢ１等の親機選択手段を操作して目的の親機（アイコン４９）を選択する。そして、録音ボタンＢ３を押すことで、選択した居住者宛のメッセージの録音が開始される。尚、居住者全員宛のメッセージ等は居室親機２に録音される。
【００３８】
録音が開始されたら、図３（ｂ）に示す画面が表示され、選択したアイコン４９に対応した増設親機３の増設メッセージメモリ５３にメッセージが録音される。具体的に、親機ＣＰＵ３１はメッセージ作成制御手段として動作し、生成したメッセージにメッセージ対象親機ＩＤ、居室親機ＩＤ情報を有するメッセージ通知信号を付加して増設親機３に送出する。この信号に含まれるＩＤ情報から自身宛であると認識した増設ＣＰＵ４５は、増設録音／再生制御手段として動作して、自身の増設メッセージメモリ（メッセージ録音手段）５３にメッセージを録音し、増設モニタ（タッチパネル画面）３９をメッセージ有り報知手段とし動作させて「メッセージ有り」を表示し、メッセージがあることを報知する。
【００３９】
録音が終了したら、図３（ｃ）に示すような画面が表示され、個々の居住者に対するメッセージの有無等がアイコン５１で表示される。そして、今録音された居住者Ａのアイコン５１は他と異なる色で表示され、実行ボタンＢ６を押すことで、録音した居住者Ａに対するメッセージを確認する事ができるし、キャンセルボタンＢ７を押せば確認工程を飛ばして、録音工程は終了となる。また、録音先の増設親機３でも増設ＣＰＵ４５の制御により、増設モニタ（タッチパネル画面）３９に「メッセージ有り」が表示される。
【００４０】
次に録音されたメッセージの再生について説明する。メッセージの再生は居室親機２及び「メッセージ有り」を表示した増設親機３において実施でき、居室親機２でメッセージを再生する手順及び動作は以下のようである。
居室親機２のメッセージ再生待ち画面は上記図４（ａ）と同様であり、アイコン５１を選択する選択ボタンＢ８、メッセージ再生ボタンＢ９等が表示されている。図４（ｂ）はメッセージ再生ボタンＢ９が押されて、居住者Ａに対するメッセージが再生されている状態を示している。
【００４１】
アイコン５１が選択されてメッセージ再生ボタンＢ９が押されると、親機ＣＰＵ３１は選択したアイコン５１に関連した増設親機ＩＤと居室親機ＩＤを含むメッセージ再生信号を送出する。この信号に含まれるＩＤ情報から自身宛であることを認識した増設親機３の増設ＣＰＵ４５は、メッセージメモリ５３からメッセージを取り出して居室親機２に送信する。こうして、居室親機２のスピーカ２９において再生メッセージが出力される。
【００４２】
その後、親機ＣＰＵ３１は、図４（ｃ）に示すように、報知制御手段として動作し、メッセーメモリ２７内のメッセージ再生情報記憶部に、再生操作した増設親機ＩＤ及び再生時刻を記憶し、アイコン５１の所定位置に再生時刻を表示し、メッセージを再生したアイコンの星印５２を消す。更に、増設親機３に対して再生報知信号を出力し、この信号を受信した増設親機３は、「メッセージ有り」の表示を消す。
【００４３】
増設親機３によるメッセージ再生は以下のようである。「メッセージ有り」が表示されている状態でタッチパネル４７をタッチ操作すると、メッセージ再生ボタン（図示せず）が表示される。このメッセージ再生ボタンを押すと、増設ＣＰＵ４５はメッセージ再生制御手段として動作して増設メッセージメモリ５３に録音されたメッセージが再生される。
メッセージ再生後は、増設ＣＰＵ４５は「メッセージ有り」の表示を止めると共に、居室親機２に対してメッセージ再生信号を送出する。この信号を受信した親機ＣＰＵ３１は、メッセージメモリ２７内のメッセージ再生情報記憶部に、再生操作した増設親機ＩＤ及び再生時刻を記憶し、アイコン５１の所定位置に再生場所マーク（菱形マーク）を表示する。更に、再生時刻を表示してアイコン５１の星印５２を消す。
【００４４】
このように、個々の増設親機にメッセージメモリ５３を設けて居住者毎にメッセージ録音機器が異なっても、居室親機からメッセージを録音できる。そのため、メッセージ対象居室親機まで赴いてメッセージを入力する必要がなくメッセージ入力がし易い。
また、「メッセージ有り」の表示動作をするので、個々の居住者は自分の部屋に居ながらメッセージがあるかどうか容易に判別でき、メッセージを聞くことができる。
更に、増設親機に録音されたメッセージでも居室親機で再生できるので、メッセージ受信者は自分の部屋まで戻ることなくメッセージの再生ができ便利である。
また、一方でメッセージ再生操作をしても居室親機及び増設親機の双方で再生されたことを把握できるので分かりやすいし、再生操作が成された場所及び時間が居室親機に表示されるので、居住者の状況の把握に役立つ。
また、メッセージ確認操作する場合は未再生メッセージ有りの表示は消えないので、メッセージが正しく入力されたか容易に確認でき、入力した居住者は安心できる。
【００４５】
尚、上記実施形態は何れも、増設親機３を２台取り付けて、計３台の親機で構成されたインターホン装置を示しているが、親機は居室親機２だけでも良いし、居住者数に合わせて更に多数の増設親機３を接続しても良く、上記実施形態と同様の制御により、メッセージの録音／再生操作を実施できる。
また、メッセージの録音は、未再生の状態であっても可能となっている。図４（ｄ）は未再生メッセージがあっても、上書き録音を実施する画面を示し、図４（ａ）の画面で録音未再生アイコン５１を選択して録音ボタンＢ１０を押すとこの画面が表示されてメッセージ録音モードに入る。この状態で実行ボタンＢ１２を押すと録音モードに入り、上記図３（ｂ）と同様の画面が表示され、残り時間が表示される。こうして、消去工程を踏むことなくメッセージ入力ができ、メッセージを訂正したいときなど、メッセージ入力を簡易にできる。
また、居室親機２或いは増設親機３の何れかでメッセージの再生が成されたら、双方の未再生表示を消しているが、再生操作した親機の未再生表示のみ消して、他方の親機の表示は残しておいても良い。
【００４６】
更に、上記実施形態では、全ての増設親機３にモニタ（増設モニタ３９）とタッチパネル４７を備えているが、居室親機２のみモニタ２３とタッチパネル３４を備え、増設親機３はモニタ及びタッチパネルを備えないものでも良い。図７がこの構成例を示し、６が増設親機である。この場合は、５３はメッセージ有り報知手段としてのＬＥＤ、５４が機械式のメッセージ再生ボタンとなっている。このような構成にすれば、大家族であってもモニタ付に比べて低価格で増設親機を設置でき、各居住者に１台、或いは全ての居室に夫々設置することが可能となる。
【図面の簡単な説明】
【００４７】
【図１】本発明に係るインターホン装置の第１実施形態を示す構成図である。
【図２】図１の回路ブロック図である。
【図３】メッセージ録音操作時のタッチパネル画面及び操作ボタンの説明表を示し、（ａ）はメッセージ先選択操作画面、（ｂ）は録音中の画面、（ｃ）は確認操作画面である。
【図４】メッセージ再生操作時のタッチパネル画面及び操作ボタンの説明表を示し、（ａ）はエリア選択画面、（ｂ）はメッセージ再生中画面、（ｃ）はメッセージ再生完了画面、（ｄ）は上書き操作画面である。
【図５】タッチパネル表示の他の形態を示している。
【図６】本発明に係るインターホン装置の第２実施形態を示す回路ブロック図である。
【図７】本発明に係るインターホン装置の他の例を示す構成図である。
【符号の説明】
【００４８】
１・・玄関子機、２・・居室親機、３・・増設親機、６・・増設親機、２３・・モニタ、２５・・メッセージ録音ボタン、２６・・メッセージ再生ボタン、２７・・メッセージメモリ（メッセージ録音手段、メッセージ再生情報記録部）、２８・・マイク（メッセージ入力手段）、２９・・スピーカ（メッセージ再生手段）、３０・・親機通話回路、３１・・親機ＣＰＵ（親機録音／再生制御手段、メッセージ作成制御手段、通知信号生成手段、報知制御手段、記録制御手段）、３４・・タッチパネル（記録エリア選択手段、メッセージ有り報知手段、親機選択手段、メッセージ確認手段、メッセージ再生手段）、３９・・増設モニタ、４１・・増設メッセージ再生ボタン、４３・・スピーカ（メッセージ再生手段）、４５・・増設ＣＰＵ（メッセージ再生制御手段、メッセージ録音／再生制御手段、報知制御手段）、４７・・タッチパネル（メッセージ有り報知手段）、４９・・アイコン、５１・・アイコン、５３・・ＬＥＤ（メッセージ有り報知手段）、５４・・メッセージ再生ボタン。
【図１】
2007266977.tif 000003
【図２】
2007266977.tif 000004
【図３】
2007266977.tif 000005
【図４】
2007266977.tif 000006
【図５】
2007266977.tif 000007
【図６】
2007266977.tif 000008
【図７】
2007266977.tif 000009